(57)【要約】【課題】巻上機のシーブの厚さ寸法を低減することのできる巻上機およびエレベーターを提供する。【解決手段】巻上機１のロータ５の挿嵌部２３の幅寸法Ｌ１をシーブ６の幅寸法Ｌ２より短くすると共に、シーブ６の一端に、主軸３方向に延在する内向きつば部３１を設け、かつ固定用ボルト３０は、内向きつば部３１を貫通してロータ５の端部２４に螺合し、ロータ５の端部側面２５と内向きつば部３１の内壁面３２に生じる摩擦力で、シーブ６をロータ５に固定するようにした。【選択図】図２
2019011140.tif 000002
【特許請求の範囲】
【請求項１】
フレームと、
前記フレームに回転自在に支持される主軸と、
前記主軸に固定されるロータと、
前記ロータに固定されロープが巻き掛けられるシーブと、
を備える巻上機において、
前記シーブは、前記ロータの端部側面の少なくとも一部を覆う内向きつば部を有し、
前記内向きつば部と前記ロータの端部側面とを固定する固定用ボルトを更に備えることを特徴とする巻上機。
【請求項２】
請求項１において、
前記シーブは、前記内向きつば部の内壁面から他端側面までの長さ寸法が、前記ロータの端部側面から前記ロータの外周壁面までの幅寸法よりも短いことを特徴とする巻上機。
【請求項３】
請求項１において、
前記内向きつば部は、前記固定用ボルトが貫通する貫通穴を有することを特徴とする巻上機。
【請求項４】
請求項１において、
前記ロータは、リブを更に備え、
前記リブは、前記ロータの端部側面側に肉厚部を有し、
前記肉厚部は、前記固定用ボルトが螺合するボルト孔を有することを特徴とする巻上機。
【請求項５】
昇降路を昇降する乗りかごと、
前記乗りかごと一端部で接続されるロープと、
前記ロープを巻き上げる巻上機とを備え、
前記巻上機は、
フレームと、
前記フレームに回転自在に支持される主軸と、
前記主軸に固定されるロータと、
前記ロータに固定され、前記ロープが巻き掛けられるシーブと、
を有するエレベーターにおいて、
前記シーブは、前記ロータの端部側面の少なくとも一部を覆う内向きつば部を有し、
前記内向きつば部と前記ロータの端部側面とを固定する固定用ボルトを更に備えることを特徴とするエレベーター。
【発明の詳細な説明】
【技術分野】
【０００１】
本発明は、巻上機およびエレベーターに関する。
【背景技術】
【０００２】
エレベーターの巻上機は、昇降路内に固定設置されるフレームと、フレームに主軸を介して回転自在に取り付けられたロータと、フレームの側面に固定用ボルトにより固定され、ロープを巻上げ或いは巻戻し操作するためのシーブとを有している。そして、一般的に、シーブを固定する固定用ボルトは、シーブを貫通してロータに螺合し、軸力によって生じるロータとシーブとの突き当て面の摩擦力で、シーブをロータに対して強固に固定している。一方、固定用ボルトがシーブを貫通する構造のため、シーブの厚さは一定以上の寸法が必要となっていた。
【０００３】
従来、回転体と回転軸との締結を容易にするものとして、回転体であるプーリの内径部をテーパ形状にすると共に、端面からプーリ内径部と回転軸の間に楔状の部品を配置し、固定用ボルトを締め込むことで回転軸とプーリを固定するものが開示されている（特許文献１）。なお、プーリとフライホイールとは他の固定用ボルトで締結されている。
【先行技術文献】
【特許文献】
【０００４】
【特許文献１】特開２０１６−８６７０号公報
【発明の概要】
【発明が解決しようとする課題】
【０００５】
しかしながら、前述した特許文献１に記載のものでは、回転体の内径部をテーパ形状したり、端面から回転体内径部と回転軸の間に楔状の部品を配置することを要し、部品加工に手間がかかると共に、部品員数の増加を招き、エレベーターの巻上機に適用することは難しい。また、巻上機のシーブに該当するプーリの肉厚部にそれぞれの固定用ボルトの先端部が螺合される構造であることから、巻上機に適用した場合でもシーブの厚さ寸法の低減を図ることが困難である。
【０００６】
本発明の目的は、巻上機のシーブの厚さ寸法を低減することのできる巻上機およびエレベーターを提供することにある。
【課題を解決するための手段】
【０００７】
前記課題を解決し、本発明の目的を達成するために、本発明は、フレームと、前記フレームに回転自在に支持される主軸と、前記主軸に固定されるロータと、前記ロータに固定されロープが巻き掛けられるシーブと、を備える巻上機において、前記シーブは、前記ロータの端部側面の少なくとも一部を覆う内向きつば部を有し、前記内向きつば部と前記ロータの端部側面とを固定する固定用ボルトを更に備えることを特徴とした。
【発明の効果】
【０００８】
前記構成の巻上機および前記構成の巻上機を備えるエレベーターによれば、巻上機のシーブの厚さ寸法を低減することができる。
【０００９】
なお、上述した以外の課題、構成及び効果は、以下の実施形態の説明により明らかにされる。
【図面の簡単な説明】
【００１０】
【図１】本発明の一実施形態に係るエレベーターの巻上機の構成例を示す一部断面図である。
【図２】本発明の一実施形態に係る巻上機の要部断面図である。
【図３】本発明の一実施形態に係るロータの正面図である。
【図４】本発明の一実施形態に係るシーブ及びロータの要部拡大断面図である。
【図５】本発明が適用されるエレベーターの概略図である。
【発明を実施するための形態】
【００１１】
以下、実施例を図面を用いて説明する。
【実施例】
【００１２】
以下、本発明の巻上機およびエレベーターを実施するための形態について、図１乃至図５を参照して説明する。なお、各図において同一または類似の構成には同じ符号を付して繰り返しの説明は省略する。
【００１３】
図５は、本発明が適用されるエレベーターの概要図である。
【００１４】
図５のエレベーター４２は、建屋の昇降路４６内を昇降する乗りかご４３と、乗りかご４３と一端部で接続されるロープ４５と、ロープ４５の他端部が接続される釣合いおもり４４と、機械室４７に設置され、ロープ４５を巻き上げる巻上機１とによって構成される。
【００１５】
図１は、本発明の一実施形態に係るエレベーターの巻上機の構成例を示す一部断面図である。
【００１６】
本実施形態のエレベーター４２は、巻上機１を備え、この巻上機１に巻き掛けられた図示しないロープ４５を巻上げ或いは巻戻すことにより、昇降路４６内において図示しない昇降体、つまり乗りかご４３及び釣合おもり４４の上昇或いは下降を行うようになっている。
【００１７】
巻上機１は、機械室４７内に配置されるベース２に固定され、主軸３の一端を支持するフレーム４と、主軸３を介してフレーム４に対して回転自在に取り付けられたロータ５と、ロータ５に固定され、ロープ４５が巻き掛けられるシーブ６と、ベース２に固定され、主軸３の他端を支持するペデスタル７とを有している。
【００１８】
フレーム４は、前面側に環状凹部１０が形成され、その環状凹部１０の中央に残されたボス部１１の先端に円筒状の支持壁１２が突出して形成されている。この支持壁１２とボス部１１の軸心位置には、フレーム４を貫通するように軸孔１３が形成されており、この軸孔１３に嵌入される軸受１４を介して主軸３の一端が回転可能に支持されている。また、環状凹部１０の外周壁内面には、電動機の固定子１５が取り付けられている。固定子１５は巻線を有し、通電によって磁界を連続的に変化させる。
【００１９】
ロータ５は、全体がほぼ円板形状を呈し、軸心部が主軸３と同軸に設けられ、その外周縁部がディスクブレーキの制動ディスク２０を構成している。そして、ロータ５の一側面には、ロータ５と共に回転する電動機の回転子２１が延設されている。回転子２１は、ロータ５に一体に形成された円筒壁２２に固定される永久磁石からなっており、その永久磁石の磁気作用面が径方向外側に向くようになっている。そして、この回転子２１はフレーム４の環状凹部１０内に挿入配置され、回転子２１と固定子１５の磁気作用面がエアギャップを挟んで径方向で対峙している。
【００２０】
シーブ６は、ロータ５に固定用ボルト３０によって固定され、ロープ４５を巻上げ或いは巻戻し操作する。
【００２１】
ペデスタル７は、ロータ５の反フレーム側に配置され、ペデスタル７を貫通するように軸孔４０が形成されており、この軸孔４０に嵌入される軸受４１を介して主軸３を回転可能に支持している。
【００２２】
また、一般に、ペデスタル７により制動ディスク２０を挟圧することによって巻上機１を制動する図示しない制動装置を支持している。
【００２３】
そして、本実施形態では、シーブ６の厚さ寸法を低減するために工夫が施されている。ここで、シーブ６のロータ５への取り付け構造について説明する。
【００２４】
図２は、本発明の一実施形態に係る巻上機の要部断面図である。図３は、本発明の一実施形態に係るロータの正面図である。図４は、本発明の一実施形態に係るシーブ及びロータの要部拡大断面図である。
【００２５】
本実施形態の巻上機１では、ロータ５の挿嵌部２３の幅寸法Ｌ１（ロータ５の端部側面２５から外周壁面２６までの長さ寸法）をシーブ６の幅寸法Ｌ２より短くすると共に、シーブ６の一端において、主軸３方向に延在し、ロータ５の端部側面２５の少なくとも一部を覆う内向きつば部３１を設ける。
【００２６】
また、固定用ボルト３０は、内向きつば部３１を貫通してロータ５の端部２４に螺合し、内向きつば部３１とロータ５の端部側面２５とを固定する。すなわち、ロータ５の端部側面２５と内向きつば部３１の内壁面３２に生じる摩擦力で、シーブ６をロータ５に固定する。
【００２７】
このように、固定用ボルト３０を内向きつば部３１を介してロータ５の端部２４に螺合し、ロータ５の端部側面２５と内向きつば部３１の内壁面３２に生じる摩擦力で、シーブ６をロータ５に固定することにより、従来のように、固定用ボルト３０がシーブ６の全体を貫通しない構造とし、これによって、シーブ６の厚さ寸法を低減することができる。
【００２８】
また、シーブ６において、内向きつば部３１の内壁面３２から他端側面３３までの長さ寸法Ｌ３を、挿嵌部２３の幅寸法Ｌ１より短く設定し、内向きつば部３１の内壁面３２をロータ５の端部側面２５と突き合わせた際、図４に示すように、シーブ６の他端側面３３とロータ５の外周壁面２６の間に若干の隙間Ｌ４が生じる構成となっている。
【００２９】
これは、シーブ６をロータ５の挿嵌部２３に嵌合したしたとき、確実に内向きつば部３１の内壁面３２がロータ５の端部側面２５に密着し、固定用ボルト３０の締結により、ロータ５の端部側面２５と内向きつば部３１の内壁面３２の間に所定の摩擦力が生じるようにするためである。
【００３０】
ロータ５には、リブ２７が設けられ、図３に示すように、リブ２７の一方の根元（ロータ５の端部側面２５側）に肉厚部２８が設けられ、リブ２７の軸線上である肉厚部２８に固定用ボルト３０が螺合されるボルト孔２９が穿設されている。
【００３１】
このように、リブ２７の根元に肉厚部２８を設け、肉厚部２８にボルト孔２９を穿設する配置とすることにより、比較的容易にボルト孔２９の剛性を確保することができる。
【００３２】
シーブ６の内向きつば部３１には、ボルト孔２９と対向し、固定用ボルト３０が貫通する貫通孔３４が穿設されている。
【００３３】
以上、説明したように本実施形態の巻上機およびエレベーターによれば、ロータ５の挿嵌部２３の幅寸法Ｌ１をシーブ６の幅寸法Ｌ２より短くすると共に、シーブ６の一端に、主軸３方向に延在する内向きつば部３１を設け、かつ固定用ボルト３０は、内向きつば部３１を貫通してロータ５の端部側面２５に螺合し、ロータ５の端部側面２５と内向きつば部３１の内壁面３２に生じる摩擦力で、シーブ６をロータ５に固定することにより、従来のように固定用ボルト３０がシーブ６の全体を貫通しない構造とし、これによって、シーブ６の厚さ寸法を低減し、シーブ６の軽量化を図ることができる。
【００３４】
また、シーブ６において、内向きつば部３１の内壁面３２から他端側面３３までの長さ寸法Ｌ３を、挿嵌部２３の幅寸法Ｌ１より短く設定することにより、シーブ６をロータ５の挿嵌部２３に嵌合したとき、確実に内向きつば部３１の内壁面３２がロータ５の端部側面２５に密着し、固定用ボルト３０の締結により、ロータ５の端部側面２５と内向きつば部３１の内壁面３２の間に所定の摩擦力を生じさせ、シーブ６をロータ５へ強固に固定することができる。
【００３５】
以上、本発明の巻上機およびエレベーターの実施形態について、その作用効果も含めて説明した。しかしながら、本発明の巻上機およびエレベーターは、前述した実施形態に限定されるものではなく、特許請求の範囲に記載した発明の要旨を逸脱しない範囲内で種々の変形実施が可能である。
【符号の説明】
【００３６】
１  巻上機
２  ベース
３  主軸
４  フレーム
５  ロータ
６  シーブ
７  ペデスタル
１０  環状凹部
１１  ボス部
１２  支持壁
１３  軸孔
１４  軸受
１５  固定子
２０  制動ディスク
２１  回転子
２２  円筒壁
２３  挿嵌部
２４  端部
２５  端部側面
２６  外周壁面
２８  肉厚部
２９  ボルト孔
３０  固定用ボルト
３１  内向きつば部
３２  内壁面
３３  他端側面
３４  貫通孔
４０  軸孔
４１  軸受
４２  エレベーター
４３  乗りかご
４４  釣合いおもり
４５  ロープ
４６  昇降路
４７  機械室
【図１】
2019011140.tif 000003
【図２】
2019011140.tif 000004
【図３】
2019011140.tif 000005
【図４】
2019011140.tif 000006
【図５】
2019011140.tif 000007